(57)【要約】      （修正有）【課題】短くなった鉛筆を用いる際に鉛筆の軸を延長する補助軸を別途必要としない筆記具を提供する。【解決手段】両端が開放された円筒形状を有する連結体３と、連結体３の一方端部に脱着自在に取り付けられた第１の鉛筆４と、連結体３の他方端部に脱着自在に取り付けられた第２の鉛筆５とを備えることを特徴とする。連結体３の内周壁には雌螺子が形成されている。【選択図】図４
0003151837.tif 000002
【実用新案登録請求の範囲】
【請求項１】
筆記具であって、
両端が開放された筒形状を有する連結体と、
前記連結体の一方端部に脱着自在に取り付けられた第１の鉛筆と、
前記連結体の他方端部に脱着自在に取り付けられた第２の鉛筆とを備え、
前記第１の鉛筆を使用する際、前記連結体を指の先で保持すると共に前記第２の鉛筆の一部が人差し指の付け根近辺で支持される、筆記具。
【請求項２】
前記連結体の内周壁には、前記第１の鉛筆及び前記第２の鉛筆が係合する雌螺子が形成される、請求項１記載の筆記具。
【請求項３】
前記雌螺子が、
前記連結体の前記一方端部の側に形成された第１の雌螺子と、
前記連結体の前記他方端部の側に形成され、前記第１雌螺子の螺子方向と逆方向の第２の雌螺子とからなる、請求項２記載の筆記具。
【請求項４】
前記内周壁の中央部分を除いて、前記第１の雌螺子及び前記第２の雌螺子が形成される、請求項３記載の筆記具。
【請求項５】
前記雌螺子は、前記連結体の前記一方端部から前記他方端部まで連続的に形成される、請求項２記載の筆記具。
【考案の詳細な説明】
【技術分野】
【０００１】
この考案は筆記具に関し、特に短くなった鉛筆を用いて構成される筆記具に関するものである。
【背景技術】
【０００２】
従来の筆記具の１つである鉛筆は、使うほど短くなって持ちにくくなり、最後まで使い切るのが難しい使い勝手の悪いものであった。
【０００３】
そこで、特許文献１に示されているようなねじこみ鉛筆つぎ軸が提案されている。
【０００４】
上記のねじこみ鉛筆つぎ軸では、中空軸の一端に、鉛筆の外接円の直径より少し小さくて鉛筆より硬い雌ねじが形成されている。このように構成すると、雌ねじに鉛筆の後端をねじ込んで中空軸と鉛筆とを一体化させることで鉛筆の軸を延長することができるため、短くなった鉛筆でも使い易くなる。
【０００５】
又、特許文献２にも同様の鉛筆ホルダーが提案されている。
尚、その第３図に示されている鉛筆ホルダーでは、鉛筆の外径とほぼ同一径の外形を有する棒状体の両端の各々の内周部に、ネジ部が形成されている。このように構成すると、ネジ部の一方に鉛筆の後端をねじ込んで鉛筆の軸を延長すると共に、特許文献２の明細書の第２０頁１行目から５行目に記載のように、ネジ部の他方に、例えば消しゴム、印鑑やブラシ等の鉛筆以外の物品を取り付けることができる。
【先行技術文献】
【特許文献】
【０００６】
【特許文献１】実開昭５７−１２５３８１号
【特許文献２】実開昭５３−３６３８号
【考案の概要】
【考案が解決しようとする課題】
【０００７】
上記のような従来のねじこみ鉛筆つぎ軸や鉛筆ホルダーは、いずれもそれ自身が短くなった鉛筆の軸を延長する補助軸として用いられる。そのため、最低限、補助軸としての機能を果たしうる程度、すなわち、人指し指の付け根で補助軸を支持するための補助軸の軸方向長さが必要となっていた。
【０００８】
この考案は、上記のような課題を解決するためになされたもので、短くなった鉛筆を用いる際にこのような補助軸を必要としない筆記具を提供することを目的とする。
【課題を解決するための手段】
【０００９】
上記の目的を達成するために、請求項１記載の考案は、筆記具であって、両端が開放された筒形状を有する連結体と、連結体の一方端部に脱着自在に取り付けられた第１の鉛筆と、連結体の他方端部に脱着自在に取り付けられた第２の鉛筆とを備え、第１の鉛筆を使用する際、連結体を指の先で保持すると共に第２の鉛筆の一部が人差し指の付け根近辺で支持されるものである。
【００１０】
このように構成すると、第２の鉛筆が第１の鉛筆の軸長さを補助する。
【００１１】
請求項２記載の考案は、請求項１記載の考案の構成において、連結体の内周壁には、第１の鉛筆及び第２の鉛筆が係合する雌螺子が形成されるものである。
【００１２】
このように構成すると、第１の鉛筆及び第２の鉛筆が雌螺子にねじ込むことによって固定される。
【００１３】
請求項３記載の考案は、請求項２記載の考案の構成において、雌螺子が、連結体の一方端部の側に形成された第１の雌螺子と、連結体の他方端部の側に形成され、第１雌螺子の螺子方向と逆方向の第２の雌螺子とからなるものである。
【００１４】
このように構成すると、連結体に第１の鉛筆を取り付ける際の回転方向と、連結体に第２の鉛筆を取り付ける際の回転方向とが同一となる。
【００１５】
請求項４記載の考案は、請求項３記載の考案の構成において、内周壁の中央部分を除いて、第１の雌螺子及び第２の雌螺子が形成されるものである。
【００１６】
このように構成すると、中央部分には、第１の鉛筆及び第２の鉛筆がねじ込めなくなる。
【００１７】
請求項５記載の考案は、請求項２記載の考案の構成において、雌螺子は、連結体の一方端部から他方端部まで連続的に形成されるものである。
【００１８】
このように構成すると、１つの工程で雌螺子を形成できる。
【考案の効果】
【００１９】
以上説明したように、請求項１記載の考案は、第２の鉛筆が第１の鉛筆の軸長さを補助するので、連結体の軸方向長さが短くても使用上不具合はなく、コスト的に有利となる。
【００２０】
請求項２記載の考案は、請求項１記載の考案の効果に加えて、第１の鉛筆及び第２の鉛筆が雌螺子にねじ込むことによって固定されるので、第１の鉛筆及び第２の鉛筆の連結体への固定が容易となると共に固定状態が安定する。
【００２１】
請求項３記載の考案は、請求項２記載の考案の効果に加えて、連結体に第１の鉛筆を取り付ける際の回転方向と、連結体に第２の鉛筆を取り付ける際の回転方向とが同一となるので、第１の鉛筆、連結体及び第２の鉛筆の相互の取り付けが容易となる。
【００２２】
請求項４記載の考案は、請求項３記載の考案の効果に加えて、中央部分には、第１の鉛筆及び第２の鉛筆がねじ込めなくなるので、第１の鉛筆及び第２の鉛筆のねじ込みの深さを規定できると共に取付状態が安定する。
【００２３】
請求項５記載の考案は、請求項２記載の考案の効果に加えて、１つの工程で雌螺子を形成できるので、雌螺子の形成が容易となり、コスト的に有利な連結体となる。
【図面の簡単な説明】
【００２４】
【図１】この考案の第１の実施の形態による筆記具に使用する連結体の外観形状を示した斜視図である。
【図２】図１で示されたＩＩ−ＩＩラインの断面図である。
【図３】この考案の第１の実施の形態による筆記具の組立過程を示した概略図である。
【図４】この考案の第１の実施の形態による筆記具の使用状態を示した斜視図である。
【図５】この考案の第２の実施の形態による筆記具に使用する連結体における断面図であって、先の第１の実施の形態の図２に対応する図である。
【考案を実施するための形態】
【００２５】
図１は、この考案の第１の実施の形態による筆記具に使用する連結体の外観形状を示した斜視図であり、図２は、図１で示されたＩＩ−ＩＩラインの断面図である。
【００２６】
これらの図を参照して、連結体３は、例えばアルミ合金よりなり、両端が開放された円筒形状を有する。尚、連結体３の外周壁には、長手方向に延びる滑り止め用の凹み７が複数本形成されている。
【００２７】
連結体３の軸方向長さＬは５０ｍｍに、外周壁の直径Ｒは１０ｍｍに、それぞれ設定されている。連結体３の内周壁８の一方端部の側には第１の雌螺子１１が形成されており、連結体３の内周壁８の他方端部の側には、螺子方向が第１の雌螺子１１と逆向きの第２の雌螺子１２が形成されている。
【００２８】
このように構成すると、連結体３の両端から所定の大きさの鉛筆をねじ込んで連結体３の内部に挿入することができる。尚、第１の雌螺子１１の側からねじ込まれる鉛筆の回転方向と、第２の雌螺子１２の側からねじ込まれる鉛筆の回転方向とは、連結体３を固定した状態とすると同一方向となる。
【００２９】
第１の雌螺子１１の軸方向長さＬ１及び第２の雌螺子１２の軸方向長さＬ２は、Ｌ１＋Ｌ２＜Ｌになるように設定されている。よって、連結体３の内周壁８には、第１の雌螺子１１及び第２の雌螺子１２が形成されない中央部分１３が生じる。
【００３０】
このように構成すると、中央部分１３には鉛筆をねじ込めないため、両側からねじ込まれる鉛筆のねじ込み深さが規定される。
【００３１】
第１の雌螺子１１及び第２の雌螺子１２は、谷径Ｒ１が９ｍｍに、内径Ｒ２が７．６５ｍｍにそれぞれ設定されており、そのねじ寸法は一般用メートルねじのＪＩＳＢ−０２０５の規格に準拠する。尚、一般的な木製丸棒状の鉛筆の外周壁の直径は８ｍｍである。
【００３２】
このようにされているため、鉛筆を連結体３にねじ込むと、互いの硬度差により鉛筆の外周壁に雄螺子が形成されながら内方に進行し、鉛筆は連結体３に係合することになる。尚、鉛筆の外周壁に前もって雄螺子を形成しておき、これをねじ込んで係合させても良い。
【００３３】
図３は、この考案の第１の実施の形態による筆記具の組立過程を示した概略図である。以下、図１及び図２を参照しつつ組立過程について説明する。
【００３４】
まず、図３の（１）を参照して、短くなった第１の鉛筆４を第１の雌螺子１１にねじ込んで、連結体３に取り付ける。この際、第１の雌螺子１１の螺子方向を考慮して第１の鉛筆４を連結体３に対して時計回りに回転させながら第１の雌螺子１１にねじ込む。
【００３５】
このように構成すると、第１の雌螺子１１が第１の鉛筆４に螺子係合することで、連結体３に対する第１の鉛筆４の位置が容易に固定されると共に、その固定状態が安定する。又、第１の雌螺子１１から第１の鉛筆４を取り外す時には、第１の鉛筆４を反時計回りに回転させれば良く、第１の鉛筆４が連結体３に対して脱着自在かつ脱着容易となる。
【００３６】
更に、図３の（２）及び（３）を参照して、第２の鉛筆５を第２の雌螺子１２にねじ込んで、連結体３に取り付ける。これにより、連結体３、第１の鉛筆４及び第２の鉛筆５よりなる筆記具１の組立てが完了する。尚、第２の雌螺子１２の螺子方向が第１の雌螺子１１と逆方向であるため、第２の鉛筆５を連結体３に取り付ける際には、第２の鉛筆５を連結体３に対して反時計回りに回転させればよい。
【００３７】
このように構成すると、第２の鉛筆に第２の雌螺子１２が螺子係合することで、連結体３に対する第２の鉛筆５の位置が容易に固定されると共に、その固定状態が安定する。又、連結体３に第１の鉛筆４を取り付ける際の第１の鉛筆４の回転方向と、連結体３に第２の鉛筆５を取り付ける際の第２の鉛筆５の回転方向とが同一であるため、連結体３と第１の鉛筆４及び第２の鉛筆５との相互の取り付け、つまり、筆記具１の組立てが容易となる。
【００３８】
図４は、この考案の第１の実施の形態による筆記具の使用状態を示した斜視図である。
【００３９】
図を参照して、筆記具１を用いて第１の鉛筆４による筆記を行う際は、連結体３を指の先２１で掴んで保持する。この時、第２の鉛筆５の一部が指の付け根２２の近辺で支持されているため、筆記中における筆記具１の位置が安定する。
【００４０】
このように構成すると、第２の鉛筆５が第１の鉛筆４の軸長さを補助する補助軸となる。このため、連結体３の軸方向長さが短いものであっても、筆記具１の使用上の不具合はなく、連結体３がコンパクトに製造できるためコスト的に有利なものとなる。尚、第２の鉛筆５は第１の鉛筆４より長いが、第２の鉛筆５の長さは少なくとも指の付け根２２の近辺で支持できる長さがあれば良い。
【００４１】
図５は、この考案の第２の実施の形態による筆記具に使用する連結体における断面図であって、先の第１の実施の形態の図２に対応する図である。
【００４２】
図を参照して、第１の実施の形態による連結体３の第１の雌螺子１１及び第２の雌螺子１２が、連結体３の一方端部から他方端部まで連続的に形成される雌螺子１４に置き換わっている点が大きく異なっている。尚、他の連結体３の構成は第１の実施の形態によるものと同一であるため、ここでの説明は繰り返さない。
【００４３】
このように構成すると、１つの工程で雌螺子１４を形成できるため、雌螺子１４の形成が容易となり、連結体３が更にコスト的に有利なものとなる。尚、筆記具１の組立てに際しては、第１の鉛筆４を連結体３に対して時計回りに回転させて連結体３にねじ込み、第２の鉛筆５を連結体３に対して時計回りに回転させて連結体３にねじ込んで同様に取り付ける。
【００４４】
尚、上記の各実施の形態では、連結体は円筒形状を有するものとされていたが、鉛筆が係合する雌螺子が形成された内周壁を有する筒形状であれば、外周壁の長手方向に直交する断面形状が多角形等であっても良い。
【００４５】
又、上記の各実施の形態では、第１の鉛筆及び第２の鉛筆を連結体に両側から脱着自在に取り付けるために雌螺子を用いていたが、雌螺子の少なく共一方を例えば、鉛筆を挿入した状態で鉛筆を締め付けて鉛筆の位置を固定する機構等に置き換えても良い。
【００４６】
更に、上記の各実施の形態では、連結体はアルミ合金よりなるとしていたが、木材より硬度が高いものであれば他の材料で形成されていても良い。
【００４７】
更に、上記の各実施の形態では、連結体の軸方向長さを５０ｍｍとしていたが、筆記具を使用する際に、連結体が人指し指の付け根近辺にまで届かない距離であればよい。
【００４８】
更に、上記の第１の実施の形態では、第１の雌螺子と第２の雌螺子とは、螺子方向が互いに逆方向であるが、中央部分を除いて形成した雌螺子が同方向であっても良い。この場合であっても、第２の実施の形態とは異なり、中央部分に鉛筆がねじ込めないため、鉛筆のねじ込み深さが規定されるというメリットが生じる。
【００４９】
更に、上記の第１の実施の形態では、連結体の内周壁に、第１の雌螺子又は第２の雌螺子が形成されない中央部分が生じていたが、内周壁の全域に第１の雌螺子及び第２の雌螺子を形成しても良い。
【００５０】
更に、上記の第２の実施の形態では、雌螺子が連結体の一方端部から他方端部まで連続的に形成されているが、少なくとも第１の鉛筆及び第２の鉛筆が取り付けられる内周壁の部分に雌螺子が形成されていれば良い。
【００５１】
更に、上記の各実施の形態では、鉛筆は丸棒状のものとされていたが、六角鉛筆のような多角形形状の鉛筆でも良い。この場合、鉛筆の最大外縁を通る円の直径の寸法が、雌螺子の谷径の寸法と内径の寸法の間になるように構成すれば良い。
【符号の説明】
【００５２】
１…筆記具
３…連結体
４…第１の鉛筆
５…第２の鉛筆
８…内周壁
１１…第１の雌螺子
１２…第２の雌螺子
１３…中央部分
１４…雌螺子
２１…指の先
２２…付け根
尚、各図中同一符号は同一又は相当部分を示す。
【図１】
0003151837.tif 000003
【図２】
0003151837.tif 000004
【図３】
0003151837.tif 000005
【図４】
0003151837.tif 000006
【図５】
0003151837.tif 000007